(57)【要約】【課題】機器内に入っているディスクが何か分かっていない状況からでも、ディスクの種類と状況に応じた再生処理を実行させる。【解決手段】ディスク再生の指示を受けたとき、装着されているディスクの種類を判別し、そのディスクがＤＶＤであるとき、記録フォーマットがＤＶＤ−ＶｉｄｅｏかＤＶＤ−ＶＲ（Video Recording）かを判別する（ｆ01，ｆ02，ｆ04）。ＤＶＤ−Ｖｉｄｅｏと判別された場合、ディスクから操作メニュー情報を取得して当該メニュー情報を表示させ、ユーザのメニュー項目の選択指示に従ってディスクを再生させる（ｆ06，ｆ0b）。ＤＶＤ−ＶＲと判別された場合、ディスクから記録されたタイトルのサムネイル一覧を取得して表示させ、ユーザが選択指示したタイトルを読み出し再生させる（ｆ09）。【選択図】      図１
2010165429.tif 000002
【特許請求の範囲】
【請求項１】
ディスク再生を指示する再生指示手段と、
前記再生指示を受けたとき、装着されているディスクの種類を判別し、そのディスクがＤＶＤ（Digital Versatile Disk）であるとき、記録フォーマットがＤＶＤ−ＶｉｄｅｏかＤＶＤ−ＶＲ（Video Recording）かを判別する判別手段と、
前記記録フォーマットの判別がＤＶＤ−Ｖｉｄｅｏの場合、前記ディスクから操作メニュー情報を取得して当該メニュー情報を表示させ、ユーザのメニュー項目の選択指示に従って前記ディスクを再生させる第１の再生制御手段と、
前記記録フォーマットの判別がＤＶＤ−ＶＲの場合、前記ディスクから記録されたタイトルのサムネイル一覧を取得して表示させ、ユーザが選択指示したタイトルを読み出し再生させる第２の再生制御手段と
を具備することを特徴とするディスク再生装置。
【請求項２】
前記第１の再生制御手段は、前記ディスクが最初の再生時に提示する情報を備えるとき、前記再生指示が前記ディスクの最初の再生であればその情報を最初に再生させることを特徴とする請求項１記載のディスク再生装置。
【請求項３】
前記第１の再生制御手段は、前記ディスクの前回の再生時に途中で再生終了操作情報が得られたか否かを判断し、再生終了操作情報が得られた場合には、終了した箇所の続きから再生を開始させることを特徴とする請求項１記載のディスク再生装置。
【請求項４】
前記第１の再生制御手段は、前記メニュー情報の表示と前記続きの再生のどちらを優先するかを予めユーザに選択させることを特徴とする請求項３記載のディスク再生装置。
【請求項５】
前記判別手段は、さらに前記ディスク判別種類としてＣＤ（Compact Disc）を含み、
前記ＣＤと判別されたとき、前記ディスクの前回の再生時に再生終了操作情報が得られたか否かを判断し、再生終了操作情報が得られた場合には、終了した箇所から再生を開始させ、得られていない場合には最初から再生を開始させる第３の再生制御手段をさらに備えることを特徴とする請求項１記載のディスク再生装置。
【請求項６】
前記ディスク以外の記録媒体の再生機構を備えるディスク再生装置であるとき、
前記再生指示手段でディスク再生の指示があったとき、ディスクドライブ再生が可能な否かを判断し、再生不可ならばディスク再生可能状態に切り替え制御するディスクドライブ切替制御手段を備えることを特徴とする請求項１記載のディスク再生装置。
【請求項７】
ディスク再生の指示を受けたとき、装着されているディスクの種類を判別し、
判別したディスクがＤＶＤ（Digital Versatile Disk）であるとき、記録フォーマットがＤＶＤ−ＶｉｄｅｏかＤＶＤ−ＶＲ（Video Recording）かを判別し、
前記記録フォーマットの判別がＤＶＤ−Ｖｉｄｅｏの場合、前記ディスクから操作メニュー情報を取得して当該メニュー情報を表示させ、ユーザのメニュー項目の選択指示に従って前記ディスクを再生させ、
前記記録フォーマットの判別がＤＶＤ−ＶＲの場合、前記ディスクから記録されたタイトルのサムネイル一覧を取得して表示させ、ユーザが選択指示したタイトルを読み出し再生させることを特徴とするディスク再生制御方法。
【請求項８】
前記ディスクが最初の再生時に提示する情報を備えるとき、前記再生指示が前記ディスクの最初の再生であればその情報を最初に再生させることを特徴とする請求項７記載のディスク再生制御方法。
【請求項９】
前記ディスクの前回の再生時に途中で再生終了操作情報が得られたか否かを判断し、再生終了操作情報が得られた場合には、終了した箇所の続きから再生を開始させることを特徴とする請求項７記載のディスク再生制御方法。
【請求項１０】
前記メニュー情報の表示と前記続きの再生のどちらを優先するかを予めユーザに選択させることを特徴とする請求項９記載のディスク再生制御方法。
【請求項１１】
前記ディスクの判別種類としてＣＤ（Compact Disc）を含み、
前記ＣＤと判別されたとき、前記ディスクの前回の再生時に再生終了操作情報が得られたか否かを判断し、再生終了操作情報が得られた場合には、終了した箇所から再生を開始させ、得られていない場合には最初から再生を開始させることを特徴とする請求項７記載のディスク再生制御方法。
【請求項１２】
前記ディスク以外の記録媒体の再生機構を備えるとき、
前記ディスク再生の指示があったとき、ディスクドライブ再生が可能な否かを判断し、再生不可ならばディスク再生可能状態に切り替え制御することを特徴とする請求項７記載のディスク再生制御方法。
【発明の詳細な説明】
【技術分野】
【０００１】
本発明は、光ディスクに記録された映像・音声を再生するディスク再生装置に係り、特にユーザに再生操作を支援するディスク再生制御方法に関する。
【背景技術】
【０００２】
光ディスクを使った、映像・音声の再生システムとして、まずＣＤ（Compact Disc）によって、音声の再生ができるようになり、映像の再生にはＤＶＤ（Digital Versatile Disk）が開発された。ＤＶＤとＣＤは光ディスクのサイズが同じため、ＤＶＤの再生装置においては、ＣＤも再生するようになっているのが一般的である。
【０００３】
ＤＶＤについては、先に映像の再生用にＤＶＤ-Ｖｉｄｅｏ規格による再生専用ディスクが登場し、後に録画記録用の規格であるＤＶＤ−ＶＲ（Video Recording）規格が登場し、これらの規格に対応したＤＶＤ録画再生機も登場した。
【０００４】
この映像を記録する２つの規格にはそれぞれ特徴があり、従来は、市販の再生専用の映像用ＤＶＤと同じＤＶＤ-Ｖｉｄｅｏ規格による録画のほうが互換性に優れ利用されていた。ところが、デジタル放送の普及とその放送に使われるコピー管理された番組の録画ができるのがＤＶＤ−ＶＲ規格のため、今後の再生機ではＤＶＤ-Ｖｉｄｅｏ規格とＤＶＤ−ＶＲ規格の両規格の再生が一般的になると思われる。
【０００５】
上記ＤＶＤの映像記録の２つの規格は、それぞれ元々の用途が異なるので、操作性も異なる。ＤＶＤ-Ｖｉｄｅｏ規格の場合、ファーストプレイ（以下、First_Play）という、ディスクを挿入したら最初に行うことが決められていたり、タイトルを選択するためのメニュー（例えば図８に示すようなもの）を用意したりしている場合が多い。一般的に、ＣＤやＤＶＤ以外の映像音声機器も含め、記録コンテンツを再生する場合には再生ボタンを押すことで実行する。ところが、ＤＶＤ-Ｖｉｄｅｏでディスク全体の管理を行うＶＭＧＭ（Video Manager Menu）では、ユーザが意図的に表示させたければ、トップメニューというボタン操作で表示するのが推奨されており、再生ボタン操作ではない。
【０００６】
これに対し、ＤＶＤ−ＶＲ規格の方には、メニュー機能はなく、その代わりに再生装置のほうでメニュー（例えば図９に示すようなもの）を作成する場合に、そのメニュー画面に利用できるサムネイルの情報を記録できるようになっており、それを使ったメニュー（例えば図１０に示すようなもの）も作成可能である。当然機器作成のメニューも再生ボタンで表示することはなく、他の違った操作が必要になる。
【０００７】
さらにＤＶＤには機器独自の情報を記録もできるので、録画再生機では、その情報を元にメニューの作成も可能である。
【０００８】
以上のように、ディスクの再生に関し、適切な操作は必ずしも１つの操作で行えるようになっていない。そのため、機器内に入っているディスクが何か分かっていないと適切な操作ができない場合がある。例えば、近年、録画再生機として、ハードディスクドライブ（Hard Disk Drive，以下ＨＤＤとする）とＤＶＤなどを使った、デジタルの録画再生機があるが、ＨＤＤ操作中、ユーザはＤＶＤドライブに挿入されているディスクを必ずしも把握しているとは限らない。このような状況で、ＤＶＤ−Ｖｉｄｅｏ規格とＤＶＤ−ＶＲ規格の違いを把握していないようなユーザは、画面に出てくるメニューが期待していたものと違った場合、目的の操作を迷いながら指示することになり、操作上不便を感じさせることになる。
【０００９】
そこで、操作に不慣れなユーザでも、１つの操作で挿入されているディスクにとって適切な再生を簡単に指示することが可能な操作系が要望されている。
【００１０】
ここで、先行技術として特許文献１には、再生より記録の機能を重視するカメラの技術が示されているが、記録できないディスクを判別し、アラート表示、もしくは管理情報などを元にサムネイル表示するものであり、いろいろな規格別の再生方法を提供するものではない。
【先行技術文献】
【特許文献】
【００１１】
【特許文献１】特開２００３−２５７０２１号公報
【発明の概要】
【発明が解決しようとする課題】
【００１２】
以上のように、従来のディスク再生装置では、機器内に入っているディスクが何か分かっていないと適切な操作ができない場合があり、操作に不慣れなユーザにとって不便さを感じてしまう。
【００１３】
本発明は、上記の事情を鑑みてなされたもので、機器内に入っているディスクが何か分かっていない状況からでも、ディスクの種類と状況に応じた再生処理を実行させることのできるディスク再生装置とディスク再生制御方法を提供することを目的とする。
【課題を解決するための手段】
【００１４】
上記目的を達成するために本発明に係るディスク再生装置は、ディスク再生を指示する再生指示手段と、前記再生指示を受けたとき、装着されているディスクの種類を判別し、そのディスクがＤＶＤ（Digital Versatile Disk）であるとき、記録フォーマットがＤＶＤ−ＶｉｄｅｏかＤＶＤ−ＶＲ（Video Recording）かを判別する判別手段と、前記記録フォーマットの判別がＤＶＤ−Ｖｉｄｅｏの場合、前記ディスクから操作メニュー情報を取得して当該メニュー情報を表示させ、ユーザのメニュー項目の選択指示に従って前記ディスクを再生させる第１の再生制御手段と、前記記録フォーマットの判別がＤＶＤ−ＶＲの場合、前記ディスクから記録されたタイトルのサムネイル一覧を取得して表示させ、ユーザが選択指示したタイトルを読み出し再生させる第２の再生制御手段とを具備する態様の構成とする。
【００１５】
また、本発明に係るディスク再生制御方法は、ディスク再生の指示を受けたとき、装着されているディスクの種類を判別し、判別したディスクがＤＶＤ（Digital Versatile Disk）であるとき、記録フォーマットがＤＶＤ−ＶｉｄｅｏかＤＶＤ−ＶＲ（Video Recording）かを判別し、前記記録フォーマットの判別がＤＶＤ−Ｖｉｄｅｏの場合、前記ディスクから操作メニュー情報を取得して当該メニュー情報を表示させ、ユーザのメニュー項目の選択指示に従って前記ディスクを再生させ、前記記録フォーマットの判別がＤＶＤ−ＶＲの場合、前記ディスクから記録されたタイトルのサムネイル一覧を取得して表示させ、ユーザが選択指示したタイトルを読み出し再生させる態様の構成とする。
【００１６】
すなわち、本発明は、映像や音声のディスク再生装置で、１つの操作で、リスト表示やサムネイル表示で再生する映像を選択できるようにしたり、ディスクの処理指示に従った処理を行ったり、メニューを表示したり、前に再生終了情報があれば、その情報を元に、続きを再生し、なければ、最初から再生を行うことを、ディスクの種類やフォーマット、独自情報に基づき判別し再生もしくは再生選択機能を提示する。
【００１７】
リスト表示は、映像・音声に関する情報（番号、名称など）を表示し、サムネイルがあれば、それの表示も可能である。
【００１８】
ディスク以外の再生機能がある場合には、前記処理の前にディスクドライブに切り替える。
【発明の効果】
【００１９】
本発明によれば、機器内に入っているディスクが何か分かっていない状況からでも、ディスクの種類と状況に応じた再生処理を実行させることのできるディスク再生装置とディスク再生制御方法を提供することができる。
【図面の簡単な説明】
【００２０】
【図１】記録メディアとしてＨＤＤとＤＶＤを使用した、デジタル録画再生装置に本発明を適用した場合の実施形態を示すブロック図。
【図２】上記実施形態の操作用ＧＵＩの一例を示す図。
【図３】上記実施形態のＧＵＩ制御処理のメインとなるフローチャート。
【図４】上記実施形態のアラート表示の一例を示す図。
【図５】上記実施形態の操作用ＧＵＩの他の例を示す図。
【図６】上記実施形態のＤＶＤを再生する際の優先処理設定をユーザに設定させるＧＵＩを示す図。
【図７】図１の装置の構成でＤＶＤ以外の再生機能がある場合に必要な付加処理のフローを示すフローチャート。
【図８】ＤＶＤ-Ｖｉｄｅｏ規格のディスクにおいて、タイトルを選択するためのメニューの一例を示す図。
【図９】ＤＶＤ−ＶＲ規格のディスク再生において、記録内容をリスト表示する場合の一例を示す図。
【図１０】ＤＶＤ−ＶＲ規格のディスク再生において、記録内容のリストをサムネイル表示する場合の一例を示す図。
【発明を実施するための形態】
【００２１】
以下、図面を参照して本発明の実施の形態を詳細に説明する。
【００２２】
図１は記録メディアとしてＨＤＤとＤＶＤを使用した、デジタル録画再生装置に本発明を適用した場合の実施形態を示すブロック図である。図１において、録画再生装置１にはチューナ２があり、また外部機器などからの信号を録画するためのビデオ入力端子３１、オーディオ入力端子３２がある。入力信号は入力回路３を介してチューナ信号同様、シグナルプロセッサ４に入る。このシグナルプロセッサ４は入力信号に対して様々な信号処理を行う。例えば、ユーザが操作するリモートコントローラ（以下、リモコン）からの操作信号をリモコン受光部７１で受け、リモコン信号受光回路７で復調処理された操作信号は、シグナルプロセッサ１のＣＰＵ（セントラルプロセッシングユニット）４１に送られ、当該ＣＰＵ４１においてその操作内容に従って、必要な処理をコントロールする。
【００２３】
一方、シグナルプロセッサ１に入力された映像音声信号などはアナログデジタル変換器（ＡＤＣ）４２でデジタル化され、エンコーダ４３でＭＰＥＧ２などの信号に変換される。それらの信号をインターフェース４４を介して記録再生媒体５に記録したり、逆に記録再生媒体５から受け取る。記録再生媒体５のＤＶＤドライブにはＤＶＤのほかＣＤの再生も対応する。
【００２４】
デコーダ４５でＭＰＥＧ２の信号を普通のデジタル信号に戻す。いろいろな機能をユーザが操作するためＧＵＩ（グラフィックインターフェース）が必要であるが、各ＧＵＩ画面はグラフィック処理部４６で生成する。
【００２５】
ビデオエンコーダ４７は、映像信号とグラフィック処理された信号を必要に応じ合成し、出力映像信号を生成する。デジタルアナログ変換器（ＤＡＣ）４８は音声信号を生成する。それらの信号は出力回路６を介してビデオ出力端子６１、オーディオ出力端子６２からテレビジョン受像機（表示装置）８に出力される。
【００２６】
ＥＰＧ処理部４９は電子番組表（Electric Program Guide：以下ＥＰＧ）に関する処理を実行するもので、ＥＰＧデータをＨＤＤ５１に保存したり、そのデータを使ってグラフィック処理部４６に番組の予約などに使える番組表を表示させる。
【００２７】
ＬＡＮ端子９１はインターネットを介し、外部サーバから映像音声データを取得可能とするもので、記録再生媒体５に記録したり直接出力したりすることも考えられる。
【００２８】
図２は本発明に係る操作用ＧＵＩの一例を示す図である。ＧＵＩ上でＤＶＤドライブの再生を行うことがわかるようなボタン「ＤＶＤを見る」を置いているが、無論リモコンに専用のボタンを置いてもかまわない。
【００２９】
図３に本発明に係るＧＵＩ制御処理のメインとなるフローチャートを示す。上記リモコンのボタン操作により実行するもので、現在ＤＶＤドライブが選択されている状況での処理を示している。ここでの再生対象はＤＶＤのＶｉｄｅｏとＶＲの両規格に従った映像ディスクと音楽用ＣＤとする。他の再生対象があれば、さらに判断を増やすことになる。
【００３０】
図３において、ステップｆ01、ｆ02、ｆ04で３種類の再生可能なディスクと再生できない状況（例えば、映像・音声ではないディスクやまだ録画していない新品の録画用ディスク、ディスクがないときなど）の判別を行う。
【００３１】
まずステップｆ01にて、再生可能のディスクを判別し、そうでない場合はステップｆ08にてアラートを表示する。例えば、記録用ディスクにまだ記録されていなくて再生するものがない場合、図４に示すように「表示する内容がありません。」等のアラート表示を行う。
【００３２】
次にステップｆ02にて、対象ディスクが再生可能なディスクのうちＤＶＤ−ＶＲ規格のディスクかを判断する。このディスクには機器がメニューを作るのに必要な情報を有しているので、それを使ってステップｆ09でリスト等のメニューを作成する。例えば、前述の図９、図１０のようにタイトルの番号とタイトル名を含んだリスト型式のメニューを作成する。
【００３３】
ＤＶＤはいろいろな情報を記録できるので、録画機の場合、ＤＶＤ−Ｖｉｄｅｏにもメニュー作成に必要な付加情報を独自につけることができる。それを使えば、メニューのないＤＶＤ−Ｖｉｄｅｏでも機器のほうでメニューを作成できるような機能を持つことは可能である。ステップｆ03はそれを判断する処理で、メニューのないＤＶＤ−Ｖｉｄｅｏ（例えば録画に使用しているディスクで、まだ録画する予定のあるディスク）なども、ＤＶＤ−ＶＲのディスク同様、ステップｆ09で機器メニューを表示し、再生するものを選択しやすくする。
【００３４】
ステップｆ04でＤＶＤ−ＶｉｄｅｏとＣＤを判別する。
【００３５】
ＤＶＤ−ＶｉｄｅｏにはFirst_Playという、ディスク挿入時など最初の機会に１度は実行しなければいけない機能があり、市販のＤＶＤ−Ｖｉｄｅｏではほぼ、この機能が存在する。再生専用機の場合は、再生操作をする前にこの動作が働くが、本構成のＨＤＤ＆ＤＶＤ録画再生機ではディスク挿入時に必ずしも実行されるとは限らず（例えばＨＤＤ再生中にディスク挿入）、本操作により最初の機会が来ることがある。よってFirst_Playが有り、それを実行していなければステップｆ0aにて、First_Playの実行処理を行う。尚、First_Playは２回目以降も実行してもかまわないが、一般的に制作会社のロゴの表示などが入っている場合がある。この場合、本編の再生までに時間がかかることがあり、ユーザにデメリットになる場合があるので、実行していれば、First_Playの実行処理は行わない。
【００３６】
市販のＤＶＤ−Ｖｉｄｅｏの大半はＶＭＧＭ（一般にトップメニューのボタンで表示されるメニュー）を持っており、ディスク製作者が再生するものの選択を適切に行えるように作られているのが普通なので、これの利用が一般的にもっとも適切な手段といえる。ステップｆ06では、ＶＭＧＭがあればステップｆ0bで表示する処理をさせることになる。
【００３７】
ＶＭＧＭがなく、First_Playを実行しないＤＶＤ−Ｖｉｄｅｏと、ＶＭＧＭやFirst_Play相当の機能が存在しないＣＤに関しては、ステップｆ07において、前に再生を停止したときの情報の有無により、ステップｆ0cの続き再生（前回停止したところからの再生）の処理か、ステップｆ0dの最初からの再生の処理を行う。
【００３８】
以上が、ＤＶＤの再生、もしくは再生するための選択を行うためにディスクの種類や、その記録方式に伴って自動的に適切な動作を提供するものである。
【００３９】
尚、これは必要な処理を示すもので、必ずしもこの順番である必要はない。
【００４０】
図５に別の順番の処理例を示す。符号は図３と同じ処理に同じ番号をつけており、ステップｆ07の判断処理がステップｆ01とｆ02の処理の間に入っただけで、個別の処理自体は同じものを利用している。
【００４１】
動作としては、図３がメニューの表示により再生するものを選択しやすくしているのに対し、図５の方は途中で再生をやめたものの続きを再生することを優先している。
【００４２】
時間がなく、よくタイトルの再生途中で停止し、次回続きを再生するようなユーザにとってはこちらのほうが適切な処理である。一方、タイトルをほぼ最後まで見るユーザが、最後を見るのを不要と思って止めて、次回別のものを再生しようとした場合、続きを再生しても迷惑なだけで、メニュー表示のほうがよい。
【００４３】
以上のように、ユーザにより適切な処理の順番は違うので、図６に示すＧＵＩのように、ＤＶＤ再生時にメニュー表示を優先するか続き再生を優先するかを選択設定する機能を設けておき、ユーザに選択設定させる。その設定に従って処理すれば、フローの個別の処理は同じのため、簡単に、よりユーザに適切な処理を提供できる。
【００４４】
図７に、図１の装置の構成でＤＶＤ以外の再生機能がある場合に必要な付加処理のフローを示す。この構成のようにＤＶＤ以外の再生機能がある場合、そちらのを操作や再生している間に、ディスクを挿入すると何のディスクが入っているか分かりにくくなり、よりディスクに応じた処理が必要になる。特にＨＤＤとＤＶＤを使った録画再生装置の場合、一般的にＨＤＤによる録画及び再生が主体的な操作になることが多い。そのためＤＶＤよりＨＤＤを選択されていることが多く、またユーザもＤＶＤの再生操作をあまりしないことが考えられ、ＨＤＤからＤＶＤへの切換えを行って再生することに慣れないユーザも出てくる。そのため、ディスクの再生処理に加え、１つの操作の中に媒体の切換えも付加する必要がある。つまりステップｆ11にてＤＶＤが再生できるように選択されていなければ、ステップｆ12でＤＶＤを選択した上で、図３または図５の処理を行うようにする。
【００４５】
尚、本構成ではＨＤＤとＤＶＤの切換えを例にしたが、ＨＤＤの変わりにメモリーカードの再生や、ＬＡＮを通じてインターネット上にサーバからコンテンツをダウンロードし再生するＶＯＤ（Video On Demand）なども切換え対象に考えられる。
【００４６】
以上のように、上記構成によるデジタル録画再生装置によれば、複数の種類のディスクの、複数の再生もしくは再生選択手段のうちから、適切な処理を自動的に選択処理することが可能となり、これによってユーザはディスクのことを気にせず操作が容易にできるようになる。
【００４７】
尚、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成を削除してもよい。さらに、異なる実施形態例に亘る構成要素を適宜組み合わせても良い。
【符号の説明】
【００４８】
１…録画再生装置、２…チューナ、３１…ビデオ入力端子、３２…オーディオ入力端子、３…入力回路、４…シグナルプロセッサ、４１…ＣＰＵ、４２…アナログデジタル変換器（ＡＤＣ）、４３…エンコーダ、４４…インターフェース、４５…デコーダ、４６…グラフィック処理部、４７…ビデオエンコーダ、４８…デジタルアナログ変換器（ＤＡＣ）、４９…ＥＰＧ処理部、５…記録再生媒体、５１…ＨＤＤ、５２…ＤＶＤ、６…出力回路、６１…ビデオ出力端子、６２…オーディオ出力端子、７１…リモコン受光部、７…リモコン信号受光回路、８…テレビジョン受像機（表示装置）、９１…ＬＡＮ端子。
【図１】
2010165429.tif 000003
【図２】
2010165429.tif 000004
【図３】
2010165429.tif 000005
【図４】
2010165429.tif 000006
【図５】
2010165429.tif 000007
【図６】
2010165429.tif 000008
【図７】
2010165429.tif 000009
【図８】
2010165429.tif 000010
【図９】
2010165429.tif 000011
【図１０】
2010165429.tif 000012